(57)【要約】【課題】振動吸収脚にて第二筐体の振動を適切に抑制し、かつ、該振動吸収脚に起因する設置机の汚れを防止できる画像形成装置を実現することにある。【解決手段】（ａ）画像を形成するための画像形成部を備えた第一筐体と、（ｂ）前記画像形成部の動作と連動して原稿を読み取り可能な原稿読み取り部を備えた第二筐体と、（ｃ）前記第一筐体と前記第二筐体のうちの少なくとも一方の筐体に取り付けられており、振動を吸収するための振動吸収脚であって、該振動吸収脚が取り付けられている筐体が設置される設置台に接触可能な第一弾性体と、該振動吸収脚が取り付けられている筐体と前記第一弾性体との間に位置し、前記第一弾性体よりも柔らかい第二弾性体と、を備えた振動吸収脚と、（ｄ）該振動吸収脚が取り付けられている筐体に設けられ、該筐体に対する前記第一弾性体の相対移動を規制することによって、前記第二弾性体の変形を抑制するための変形抑制部と、（ｅ）を有することを特徴とする画像形成装置。【選択図】      図９
2006349777.tif 000002
【特許請求の範囲】
【請求項１】
（ａ）画像を形成するための画像形成部を備えた第一筐体と、
（ｂ）前記画像形成部の動作と連動して原稿を読み取り可能な原稿読み取り部を備えた第二筐体と、
（ｃ）前記第一筐体と前記第二筐体のうちの少なくとも一方の筐体に取り付けられており、振動を吸収するための振動吸収脚であって、
該振動吸収脚が取り付けられている筐体が設置される設置台に接触可能な第一弾性体と、
該振動吸収脚が取り付けられている筐体と前記第一弾性体との間に位置し、前記第一弾性体よりも柔らかい第二弾性体と、
を備えた振動吸収脚と、
（ｄ）該振動吸収脚が取り付けられている筐体に設けられ、該筐体に対する前記第一弾性体の相対移動を規制することによって、前記第二弾性体の変形を抑制するための変形抑制部と、
（ｅ）を有することを特徴とする画像形成装置。
【請求項２】
請求項１に記載の画像形成装置であって、
前記振動吸収脚は、前記第二筐体のみに取り付けられていることを特徴とする画像形成装置。
【請求項３】
請求項２に記載の画像形成装置であって、
前記第一弾性体及び前記第二弾性体の形状は、直方体であり、
前記第一弾性体の上面は、前記第二弾性体の下面と接着しており、
前記第二筐体は、前記振動吸収脚が取り付けられる窪みを備え、
前記変形抑制部は、
前記窪みに形成されており、前記第二筐体が前記設置台に設置された際に前記第一弾性体の側面に隙間を介して対向する対向壁、
であり、
前記第一弾性体が変位する際に、該第一弾性体の側面が前記対向壁に接触して、該第一弾性体の前記相対移動が規制されることを特徴とする画像形成装置。
【請求項４】
請求項３に記載の画像形成装置であって、
前記第一弾性体の前記上面の面積は、前記第二弾性体の前記下面の面積より大きいことを特徴とする画像形成装置。
【請求項５】
請求項３または請求項４に記載の画像形成装置であって、
前記第一弾性体が前記設置台に接触する時にも、前記第一弾性体が前記設置台に接触しない時にも、前記第二弾性体の前記下面が、前記対向壁より下方に位置しないことを特徴とする画像形成装置。
【請求項６】
請求項３〜請求項５のいずれかに記載の画像形成装置であって、
前記設置台に設置された前記第二筐体が、該第二筐体に外力が作用されることによって、前記第一弾性体の前記側面が前記対向壁に接触した状態にて前記設置台上を滑る際に、
前記第一弾性体に亀裂が生じる前に、前記第二筐体が前記設置台上を滑り始めることを特徴とする画像形成装置。
【請求項７】
請求項３〜請求項６のいずれかに記載の画像形成装置であって、
前記画像形成部は、現像剤を収容した現像剤収容体を保持して回転可能な回転体を備えていることを特徴とする画像形成装置。
【請求項８】
請求項７に記載の画像形成装置であって、
前記回転体が回転する際の前記第一筐体の水平方向の最大振幅値は、前記第二筐体が前記設置台に設置された際の前記第一弾性体の側面と前記対向壁との距離より、小さいことを特徴とする画像形成装置。
【請求項９】
請求項８に記載の画像形成装置であって、
前記第一弾性体が変位する際に、該第一弾性体の前記側面の上部のみが前記対向壁に接触することを特徴とする画像形成装置。
【請求項１０】
請求項２〜請求項９のいずれかに記載の画像形成装置であって、
前記第一筐体には、前記振動吸収脚とは異なる他の振動吸収脚が取り付けられており、
前記第一筐体に取り付けられた他の振動吸収脚は、前記第二筐体に取り付けられた振動吸収脚の前記第一弾性体及び前記第二弾性体よりも硬いことを特徴とする画像形成装置。
【請求項１１】
（ａ）画像を形成するための画像形成部を備えた第一筐体と、
（ｂ）前記画像形成部の動作と連動して原稿を読み取り可能な原稿読み取り部を備えた第二筐体と、
（ｃ）前記第一筐体と前記第二筐体のうちの少なくとも一方の筐体に取り付けられており、振動を吸収するための振動吸収脚であって、
該振動吸収脚が取り付けられている筐体が設置される設置台に接触可能な第一弾性体と、
該振動吸収脚が取り付けられている筐体と前記第一弾性体との間に位置し、前記第一弾性体よりも柔らかい第二弾性体と、
を備えた振動吸収脚と、
（ｄ）該振動吸収脚が取り付けられている筐体に設けられ、該筐体に対する前記第一弾性体の相対移動を規制することによって、前記第二弾性体の変形を抑制するための変形抑制部と、
（ｅ）を有し、
（ｆ）前記振動吸収脚は、前記第二筐体のみに取り付けられており、
（ｇ）前記第一弾性体及び前記第二弾性体の形状は、直方体であり、
前記第一弾性体の上面は、前記第二弾性体の下面と接着しており、
前記第二筐体は、前記振動吸収脚が取り付けられる窪みを備え、
前記変形抑制部は、
前記窪みに形成されており、前記第二筐体が前記設置台に設置された際に前記第一弾性体の側面に隙間を介して対向する対向壁、
であり、
前記第一弾性体が変位する際に、該第一弾性体の側面が前記対向壁に接触して、該第一弾性体の前記相対移動が規制され、
（ｈ）前記第一弾性体の前記上面の面積は、前記第二弾性体の前記下面の面積より大きく、
（ｉ）前記第一弾性体が前記設置台に接触する時にも、前記第一弾性体が前記設置台に接触しない時にも、前記第二弾性体の前記下面が、前記対向壁より下方に位置せず、
（ｊ）前記設置台に設置された前記第二筐体が、該第二筐体に外力が作用されることによって、前記第一弾性体の前記側面が前記対向壁に接触した状態にて前記設置台上を滑る際に、
前記第一弾性体に亀裂が生じる前に、前記第二筐体が前記設置台上を滑り始め、
（ｋ）前記画像形成部は、現像剤を収容した現像剤収容体を保持して回転可能な回転体を備え、
（ｌ）前記回転体が回転する際の前記第一筐体の水平方向の最大振幅値は、前記第二筐体が前記設置台に設置された際の前記第一弾性体の側面と前記対向壁との距離より、小さく、
（ｍ）前記第一弾性体が変位する際に、該第一弾性体の前記側面の上部のみが前記対向壁に接触し、
（ｎ）前記第一筐体には、前記振動吸収脚とは異なる他の振動吸収脚が取り付けられており、
前記第一筐体に取り付けられた他の振動吸収脚は、前記第二筐体に取り付けられた振動吸収脚の前記第一弾性体及び前記第二弾性体よりも硬いことを特徴とする画像形成装置。
【請求項１２】
（Ａ）コンピュータと、
（Ｂ）このコンピュータに接続されて、次の（ａ）〜（ｄ）を有する画像形成装置と、
（ａ）画像を形成するための画像形成部を備えた第一筐体、
（ｂ）前記画像形成部の動作と連動して原稿を読み取り可能な原稿読み取り部を備えた第二筐体、
（ｃ）前記第一筐体と前記第二筐体のうちの少なくとも一方の筐体に取り付けられており、振動を吸収するための振動吸収脚であって、
該振動吸収脚が取り付けられている筐体が設置される設置台に接触可能な第一弾性体と、
該振動吸収脚が取り付けられている筐体と前記第一弾性体との間に位置し、前記第一弾性体よりも柔らかい第二弾性体と、
を備えた振動吸収脚、
（ｄ）該振動吸収脚が取り付けられている筐体に設けられ、該筐体に対する前記第一弾性体の相対移動を規制することによって、前記第二弾性体の変形を抑制するための変形抑制部、
（Ｃ）を具備したことを特徴とする画像形成システム。
【発明の詳細な説明】
【技術分野】
【０００１】
本発明は、画像形成装置、及び、画像形成システムに関する。
【背景技術】
【０００２】
画像を形成するための画像形成部を備えた第一筐体と、読み取り位置を順次移動させて原稿を読み取る原稿読み取り部を備えた第二筐体と、を有する画像形成装置は既によく知られている。かかる画像形成装置は、複数の機能、例えば、スキャナ機能、プリンタ機能、コピー機能等、を有しており、マルチファンクションプリンタ装置（ＭＦＰ装置）とも呼ばれている。
【０００３】
また、当該画像形成装置においては、前記複数の機能の並行実施が可能となるように、原稿読み取り部は、画像形成部の動作と並行して動作することができるようになっている。
【特許文献１】特開平９−２１４４３号公報
【発明の開示】
【発明が解決しようとする課題】
【０００４】
ところで、原稿読み取り部が原稿を読み取る際に第一筐体の振動等に起因して第二筐体が振動すると、読み取られた画像に歪み等が発生する恐れがある。かかる画像の歪み等を防止するために、弾性体から成る振動吸収脚が用いられることがある。  
しかし、振動吸収脚の弾性体が硬すぎる場合には、振動を適切に吸収できない。一方、弾性体が柔らかすぎる場合には、振動を吸収できるが、筐体が設置される設置台等に該弾性体の跡が残り、設置台が汚れる恐れがある。
【０００５】
本発明は、かかる課題に鑑みてなされたものであり、その目的とするところは、振動吸収脚にて第二筐体の振動を適切に抑制し、かつ、該振動吸収脚に起因する設置机の汚れを防止できる画像形成装置を実現することにある。
【課題を解決するための手段】
【０００６】
前記課題を解決するために、主たる本発明は、（ａ）画像を形成するための画像形成部を備えた第一筐体と、（ｂ）前記画像形成部の動作と連動して原稿を読み取り可能な原稿読み取り部を備えた第二筐体と、（ｃ）前記第一筐体と前記第二筐体のうちの少なくとも一方の筐体に取り付けられており、振動を吸収するための振動吸収脚であって、該振動吸収脚が取り付けられている筐体が設置される設置台に接触可能な第一弾性体と、該振動吸収脚が取り付けられている筐体と前記第一弾性体との間に位置し、前記第一弾性体よりも柔らかい第二弾性体と、を備えた振動吸収脚と、（ｄ）該振動吸収脚が取り付けられている筐体に設けられ、該筐体に対する前記第一弾性体の相対移動を規制することによって、前記第二弾性体の変形を抑制するための変形抑制部と、（ｅ）を有することを特徴とする画像形成装置である。
【０００７】
本発明の他の特徴については、本明細書及び添付図面の記載により明らかにする。
【発明を実施するための最良の形態】
【０００８】
本明細書及び添付図面の記載により少なくとも次のことが明らかにされる。
【０００９】
（ａ）画像を形成するための画像形成部を備えた第一筐体と、（ｂ）前記画像形成部の動作と連動して原稿を読み取り可能な原稿読み取り部を備えた第二筐体と、（ｃ）前記第一筐体と前記第二筐体のうちの少なくとも一方の筐体に取り付けられており、振動を吸収するための振動吸収脚であって、該振動吸収脚が取り付けられている筐体が設置される設置台に接触可能な第一弾性体と、該振動吸収脚が取り付けられている筐体と前記第一弾性体との間に位置し、前記第一弾性体よりも柔らかい第二弾性体と、を備えた振動吸収脚と、（ｄ）該振動吸収脚が取り付けられている筐体に設けられ、該筐体に対する前記第一弾性体の相対移動を規制することによって、前記第二弾性体の変形を抑制するための変形抑制部と、（ｅ）を有することを特徴とする画像形成装置。  
このような画像形成装置によれば、振動吸収脚が柔弾性体を備えているから、第二筐体に作用する振動を適切に吸収することが可能となる。また、変形抑制部によって第二弾性体が変形して設置台に接触することを防止できるから、第二弾性体による設置台の汚れを防止することが可能となる。このため、上記の画像形成装置によれば、振動吸収脚にて第二筐体の振動を適切に抑制し、かつ、該振動吸収脚に起因する設置机の汚れを防止できる。
【００１０】
また、かかる画像形成装置であって、前記振動吸収脚は、前記第二筐体のみに取り付けられていることとしてもよい。  
かかる場合には、第二筐体に作用する振動を効果的に抑制することができる。
【００１１】
また、かかる画像形成装置であって、前記第一弾性体及び前記第二弾性体の形状は、直方体であり、前記第一弾性体の上面は、前記第二弾性体の下面と接着しており、前記第二筐体は、前記振動吸収脚が取り付けられる窪みを備え、前記変形抑制部は、前記窪みに形成されており、前記第二筐体が前記設置台に設置された際に前記第一弾性体の側面に隙間を介して対向する対向壁、であり、前記第一弾性体が変位する際に、該第一弾性体の側面が前記対向壁に接触して、該第一弾性体の前記相対移動が規制されることとしてもよい。
【００１２】
かかる場合には、振動吸収脚が取り付けられている筐体に対する第一弾性体の相対移動の規制を、簡易な構成にて実現することができる。
【００１３】
また、かかる画像形成装置であって、前記第一弾性体の前記上面の面積は、前記第二弾性体の前記下面の面積より大きいこととしてもよい。  
かかる場合には、第二弾性体が変形しても該第二弾性体の下面が第一弾性体の上面に接触した状態となるので、該第二弾性体が設置台に接触することを有効に防止することができる。
【００１４】
また、かかる画像形成装置であって、前記第一弾性体が前記設置台に接触する時にも、前記第一弾性体が前記設置台に接触しない時にも、前記第二弾性体の前記下面が、前記対向壁より下方に位置しないこととしてもよい。  
かかる場合には、前記第一弾性体が前記設置台に接触する（すなわち、第二筐体が設置台に設置される）際に、第二弾性体が第一弾性体と変形抑制部との間に挟まって、第二弾性体が損傷することを防止することができる。
【００１５】
また、かかる画像形成装置であって、前記設置台に設置された前記第二筐体が、該第二筐体に外力が作用されることによって、前記第一弾性体の前記側面が前記対向壁に接触した状態にて前記設置台上を滑る際に、前記第一弾性体に亀裂が生じる前に、前記第二筐体が前記設置台上を滑り始めることとしてもよい。  
かかる場合には、第二筐体が設置台上を滑る際に第一弾性体に亀裂が生じる恐れがない画像形成装置を実現できる。
【００１６】
また、かかる画像形成装置であって、前記画像形成部は、現像剤を収容した現像剤収容体を保持して回転可能な回転体を備えていることとしてもよい。  
現像剤収容体を移動するために回転体が回転する際には、第一筐体に大きな振動が生じる恐れがあるから、前記振動吸収脚と前記変形抑制部を設けたことによる効果、すなわち、振動吸収脚にて第二筐体の振動を適切に抑制できる効果、がより有効に奏される。
【００１７】
また、かかる画像形成装置であって、前記回転体が回転する際の前記第一筐体の水平方向の最大振幅値は、前記第二筐体が前記設置台に設置された際の前記第一弾性体の側面と前記対向壁との距離より、小さいこととしてもよい。  
変形抑制部と第一弾性体が接触している際には、第一筐体の振動が第二筐体に伝わり、該第二筐体が揺れる恐れがある。そこで、前記距離を振幅値よりも大きくすることによって、変形抑制部と第一弾性体の接触を抑制できるから、第二筐体に作用する振動を効果的に抑制できる。
【００１８】
また、かかる画像形成装置であって、前記第一弾性体が変位する際に、該第一弾性体の前記側面の上部のみが前記対向壁に接触することとしてもよい。  
かかる場合には、前側面が前記対向壁に接触した後に第二筐体が揺れても、第一弾性体が該揺れを吸収することが可能となる。
【００１９】
また、かかる画像形成装置であって、前記第一筐体には、前記振動吸収脚とは異なる他の振動吸収脚が取り付けられており、前記第一筐体に取り付けられた他の振動吸収脚は、前記第二筐体に取り付けられた振動吸収脚の前記第一弾性体及び前記第二弾性体よりも硬いこととしてもよい。  
かかる場合には、他の振動吸収脚によって第一筐体の振動を吸収することが可能となる。
【００２０】
また、（ａ）画像を形成するための画像形成部を備えた第一筐体と、（ｂ）前記画像形成部の動作と連動して原稿を読み取り可能な原稿読み取り部を備えた第二筐体と、（ｃ）前記第一筐体と前記第二筐体のうちの少なくとも一方の筐体に取り付けられており、振動を吸収するための振動吸収脚であって、該振動吸収脚が取り付けられている筐体が設置される設置台に接触可能な第一弾性体と、該振動吸収脚が取り付けられている筐体と前記第一弾性体との間に位置し、前記第一弾性体よりも柔らかい第二弾性体と、を備えた振動吸収脚と、（ｄ）該振動吸収脚が取り付けられている筐体に設けられ、該筐体に対する前記第一弾性体の相対移動を規制することによって、前記第二弾性体の変形を抑制するための変形抑制部と、（ｅ）を有し、（ｆ）前記振動吸収脚は、前記第二筐体のみに取り付けられており、（ｇ）前記第一弾性体及び前記第二弾性体の形状は、直方体であり、前記第一弾性体の上面は、前記第二弾性体の下面と接着しており、前記第二筐体は、前記振動吸収脚が取り付けられる窪みを備え、前記変形抑制部は、前記窪みに形成されており、前記第二筐体が前記設置台に設置された際に前記第一弾性体の側面に隙間を介して対向する対向壁、であり、前記第一弾性体が変位する際に、該第一弾性体の側面が前記対向壁に接触して、該第一弾性体の前記相対移動が規制され、（ｈ）前記第一弾性体の前記上面の面積は、前記第二弾性体の前記下面の面積より大きく、（ｉ）前記第一弾性体が前記設置台に接触する時にも、前記第一弾性体が前記設置台に接触しない時にも、前記第二弾性体の前記下面が、前記対向壁より下方に位置せず、（ｊ）前記設置台に設置された前記第二筐体が、該第二筐体に外力が作用されることによって、前記第一弾性体の前記側面が前記対向壁に接触した状態にて前記設置台上を滑る際に、前記第一弾性体に亀裂が生じる前に、前記第二筐体が前記設置台上を滑り始め、（ｋ）前記画像形成部は、現像剤を収容した現像剤収容体を保持して回転可能な回転体を備え、（ｌ）前記回転体が回転する際の前記第一筐体の水平方向の最大振幅値は、前記第二筐体が前記設置台に設置された際の前記第一弾性体の側面と前記対向壁との距離より、小さく、（ｍ）前記第一弾性体が変位する際に、該第一弾性体の前記側面の上部のみが前記対向壁に接触し、（ｎ）前記第一筐体には、前記振動吸収脚とは異なる他の振動吸収脚が取り付けられており、前記第一筐体に取り付けられた他の振動吸収脚は、前記第二筐体に取り付けられた振動吸収脚の前記第一弾性体及び前記第二弾性体よりも硬いことを特徴とする画像形成装置。  
このような画像形成装置によれば、振動吸収脚にて第二筐体の振動を適切に抑制し、かつ、該振動吸収脚に起因する設置机の汚れを防止できる効果、が最も有効に奏される。
【００２１】
また、（Ａ）コンピュータと、（Ｂ）このコンピュータに接続されて、次の（ａ）〜（ｄ）を有する画像形成装置と、（ａ）画像を形成するための画像形成部を備えた第一筐体、（ｂ）前記画像形成部の動作と連動して原稿を読み取り可能な原稿読み取り部を備えた第二筐体、（ｃ）前記第一筐体と前記第二筐体のうちの少なくとも一方の筐体に取り付けられており、振動を吸収するための振動吸収脚であって、該振動吸収脚が取り付けられている筐体が設置される設置台に接触可能な第一弾性体と、該振動吸収脚が取り付けられている筐体と前記第一弾性体との間に位置し、前記第一弾性体よりも柔らかい第二弾性体と、を備えた振動吸収脚、（ｄ）該振動吸収脚が取り付けられている筐体に設けられ、該筐体に対する前記第一弾性体の相対移動を規制することによって、前記第二弾性体の変形を抑制するための変形抑制部、（Ｃ）を具備したことを特徴とする画像形成システム。  
このような画像形成システムによれば、振動吸収脚にて第二筐体の振動を適切に抑制し、かつ、該振動吸収脚に起因する設置机の汚れを防止できる。
【００２２】
＝＝＝画像形成装置の構成例＝＝＝
次に、図１〜図６を用いて、画像形成装置の構成例について説明する。図１は、ＭＦＰ装置１０の外観構成例を示した斜視図である。図２〜図６については、後述する。
【００２３】
本実施の形態に係る画像形成装置は、原稿を読み取るための原稿読み取り機能（すなわち、スキャナ機能）、紙、フィルム、布等の媒体に画像を形成するための画像形成機能（すなわち、プリンタ機能）、スキャナ機能により読み取られた原稿上の画像を媒体に形成するためのコピー機能などを有するマルチファンクションプリンタ装置（以下、ＭＦＰ装置１０とも呼ぶ）である。
【００２４】
そして、図１に示すように、ＭＦＰ装置１０は、これらの機能を実現するために、プリンタ機能を有する第一筐体の一例としてのプリンタユニット１４と、スキャナ機能を有する第二筐体の一例としてのスキャナユニット１２と、を備えており、スキャナユニット１２とプリンタユニット１４は、画像信号や制御信号の通り道となる信号線１６で結ばれている。そして、プリンタユニット１４とスキャナユニット１２は、設置台の一例である設置机３００に設置されている。
【００２５】
なお、ＭＦＰ装置１０のスキャナ機能が実行される際には、原稿上の画像が読み取られ、読み取られた画像が画像データ（信号）としてＭＦＰ装置１０内に保管される。また、ＭＦＰ装置１０のプリンタ機能としては、スキャナ機能の実行によりＭＦＰ装置１０内に保管された画像データ（信号）に基づいて、画像形成を行う機能（以下、当該機能を、便宜上、第一プリンタ機能とも呼ぶ）と、ＵＳＢやパラレルインターフェース、又は、ネットワークを介して、ＭＦＰ装置１０に接続されたコンピュータ、から送られてくる画像データ（信号）に基づいて、画像形成を行う機能（以下、当該機能を、便宜上、第二プリンタ機能とも呼ぶ）がある。
【００２６】
＜＜＜スキャナユニット１２の構成例＞＞＞
ここでは、スキャナユニット１２の構成例について、図１〜図５を用いて説明する。図２〜図４は、スキャナユニット１２の内部構成例を示した図である。図５は、スキャナユニット１２のスキャナ底面１２ａを示した図である。図２は、図３中記号Ｘ１で示される矢印の方向から図３に示したスキャナユニット１２を見た様子を模式的に表した図であり、また、図４中記号Ｘ２で示される矢印の方向から図４に示したスキャナユニット１２を見た様子を模式的に表した図でもある。図５は、スキャナユニット１２を鉛直方向下方から上方に見た際の図である。
【００２７】
スキャナユニット１２は、原稿台ガラス１１２と、原稿台カバー１１４と、原稿読み取り部の一例としての読取キャリッジ１１６と、ガイド部材１１８と、支持レール１２０と、駆動部１２２と、を備えている。  
原稿台ガラス１１２は、読み取る原稿Ｐを載置するためのものである。この原稿台ガラス１１２は、スキャナユニット１２の上部に設けられている。
【００２８】
原稿台カバー１１４は、原稿読み取り時、又は、スキャナユニット１２の不使用時に、原稿台ガラス１１２を覆う機能を有している。この原稿台カバー１１４は、原稿台ガラス１１２よりも上部に設けられており、開閉可能となるように構成されている。また、原稿台カバー１１４は、閉止した際に原稿台ガラス１１２上に載置された原稿Ｐを原稿台ガラス１１２側に押圧する機能も有している。
【００２９】
読取キャリッジ１１６は、移動しながら原稿Ｐ上の画像を読み取る機能を有している。この読取キャリッジ１１６は、原稿台ガラス１１２に対向する位置に設けられており、露光ランプ１１６ａと、レンズ１１６ｂと、４枚のミラー１１６ｃと、ＣＣＤセンサ１１６ｄ等を備えている。
【００３０】
露光ランプ１１６ａは、原稿台ガラス１１２を介して原稿Ｐに光を照射するための光源である。レンズ１１６ｂは、原稿Ｐによる反射光を集光するためのものである。ミラー１１６ｃは、前記反射光をレンズ１１６ｂに導くためのものである。そして、露光ランプ１１６ａから原稿Ｐに照射された光が、原稿Ｐにより反射されると、反射された反射光が、４枚のミラー１１６ｃとレンズ１１６ｂとを介して、ＣＣＤセンサ１１６ｄに到達し、到達した反射光が、ＣＣＤセンサ１１６ｄによって、受光される。
【００３１】
ＣＣＤセンサ１１６ｄは、光信号を電気信号に変換するフォトダイオードが列状に配置された３本のラインセンサで構成され、これら３本のラインセンサは平行に配置されている。ＣＣＤセンサ１１６ｄは、図示しないＲ（レッド）、Ｇ（グリーン）、Ｂ（ブルー）の３つのフィルタを備え、ラインセンサ毎に異なる色のフィルタが設けられている。各ラインセンサはフィルタの色に対応した成分の光をそれぞれ検出する。例えば、Ｒのフィルタを備えたラインセンサは赤色成分の光の強弱を検出する。３本のラインセンサは、読取キャリッジ１１６の移動方向にほぼ直交する方向（以下、直交方向とも呼ぶ）に沿って配置されている。
【００３２】
また、読取キャリッジ１１６は、前記移動方向に移動可能であり、これを実現するために、スキャナユニット１２には、ガイド部材１１８と、支持レール１２０と、駆動部１２２と、が設けられている。  
ガイド部材１１８は、前記移動方向に沿って設けられている円筒材である。このガイド部材１１８は、読取キャリッジ１１６の前記直交方向一端側に設けられている、スラスト軸受でなるガイド受け部１１６ｅ、を貫通している。  
支持レール１２０も、前記移動方向に沿って設けられている。この支持レール１２０は、読取キャリッジ１１６の前記直交方向他端側に設けられているスライド部材１１６ｆを、スライド自在に支持している。
【００３３】
駆動部１２２は、読取キャリッジ１１６を前記移動方向に移動させる機能を有する。この駆動部１２２は、前記直交方向一端側に設けられており、タイミングベルト１２２ａと、駆動プーリ１２２ｂと、従動プーリ１２２ｃと、パルスモータ１２２ｄと、読取キャリッジ１１６のホームポジションを検出するためのホームポジションセンサ１２２ｅ（図７）と、を備えている。
【００３４】
パルスモータ１２２ｄは、駆動源であり、当該パルスモータ１２２ｄの回転軸に取り付けられた駆動プーリ１２２ｂを駆動する。そして、駆動された駆動プーリ１２２ｂがタイミングベルト１２２ａを回転させる。タイミングベルト１２２ａは、環状のベルトであり、その長手方向が前記移動方向に沿うように設けられている。当該タイミングベルト１２２ａには、読取キャリッジ１１６の長手方向一端部が固定されており、タイミングベルト１２２ａが回転することにより、当該タイミングベルト１２２ａに固定されている読取キャリッジ１１６が、前記ガイド部材１１８及び支持レール１２０上を移動するようになっている。なお、前記駆動プーリ１２２ｂは、タイミングベルト１２２ａの長手方向一端側に位置しており、タイミングベルト１２２ａの長手方向他端側には、タイミングベルト１２２ａに従動する従動プーリ１２２ｃが設けられている。また、パルスモータ１２２ｄは、タイミングベルト１２２ａを双方向に回転させることが可能なため、前記読取キャリッジ１１６は、順方向（図２に矢印で示した移動方向のうち、左側から右側へ向かう方向）及び逆方向（図２に矢印で示した移動方向のうち、右側から左側へ向かう方向）に移動することができる。
【００３５】
また、図５に示すように、スキャナユニット１２のスキャナ底面１２ａの四隅には、窪み１５０が形成されている。この窪み１５０は、振動吸収脚の一例としてのスキャナ脚１８０（後述）をスキャナユニット１２に取り付けるためのものである。窪み１５０には、スキャナ脚１８０を取り付けるための取り付け面１５１（図８）と、スキャナ脚１８０の側面に対向する対向壁１５２（図８）と、が形成されている。
【００３６】
また、図１に示すように、スキャナユニット１２には、操作パネル１３０が設けられている。この操作パネル１３０は、作業者とのインターフェイスとなる部分であり、作業者からの各種指示を受け付けるための指示受付部や作業者へ各種情報を与えるための情報出力部としての機能を発揮する。これらの機能を発揮するために、操作パネル１３０は、操作ボタン、液晶パネル等を備えている。
【００３７】
例えば、作業者が、原稿の読み取り（ＭＦＰ装置１０のスキャナ機能により原稿上の画像が読み取られ、読み取られた画像がＭＦＰ装置１０内に保管される）を行いたいときには、スキャンボタンを、原稿のコピーを行いたいときには、コピーボタンを、画像のプリント（ＭＦＰ装置１０内に保管されている画像がＭＦＰ装置１０のプリンタ機能により媒体に形成される）を行いたいときには、プリントボタンを、それぞれ押すことにより、各々に対応する処理が実行される。
【００３８】
＜＜＜プリンタユニット１４の構成例＞＞＞
ここでは、プリンタユニット１４の構成例について、図１、図６を用いて説明する。図６は、プリンタユニット１４の内部構成例を示した図である。なお、図６には、矢印にて上下方向を示しており、例えば、給紙トレイ９２は、プリンタユニット１４の下部に配置されており、定着ユニット９０は、プリンタユニット１４の上部に配置されている。
【００３９】
本実施の形態に係るプリンタユニット１４は、図６に示すように、感光体２０の回転方向に沿って、帯電ユニット３０、露光ユニット４０、回動体の一例としてのＹＭＣＫ現像ユニット５０、一次転写ユニット６０、中間転写体７０、クリーニングユニット７５を有し、さらに、二次転写ユニット８０、定着ユニット９０、を有している。なお、感光体２０、帯電ユニット３０、露光ユニット４０、ＹＭＣＫ現像ユニット５０、一次転写ユニット６０、中間転写体７０、二次転写ユニット８０、及び、定着ユニット９０が、画像を形成する画像形成部を構成する。
【００４０】
感光体２０は、円筒状の導電性基材とその外周面に形成された感光層を有し、中心軸を中心に回転可能であり、本実施の形態においては、図６中の矢印で示すように時計回りに回転する。  
帯電ユニット３０は、感光体２０を帯電するための装置であり、露光ユニット４０は、レーザを照射することによって帯電された感光体２０上に潜像を形成する装置である。この露光ユニット４０は、半導体レーザ、ポリゴンミラー、Ｆ−θレンズ等を有しており、画像信号に基づいて、変調されたレーザを帯電された感光体２０上に照射する。
【００４１】
ＹＭＣＫ現像ユニット５０は、感光体２０上に形成された潜像を、現像剤収容体の一例としての現像装置に収容された現像剤の一例としてのトナー、すなわち、ブラック現像装置５１に収容されたブラック（Ｋ）トナー、マゼンタ現像装置５２に収容されたマゼンタ（Ｍ）トナー、シアン現像装置５３に収容されたシアン（Ｃ）トナー、及び、イエロー現像装置５４に収容されたイエロー（Ｙ）トナーを用いて現像するための装置である。
【００４２】
このＹＭＣＫ現像ユニット５０は、前記４つの現像装置５１、５２、５３、５４が装着された状態で回動することにより、前記４つの現像装置５１、５２、５３、５４を移動させる。すなわち、このＹＭＣＫ現像ユニット５０は、前記４つの現像装置５１、５２、５３、５４を４つの保持部５５ａ、５５ｂ、５５ｃ、５５ｄにより保持しており、前記４つの現像装置５１、５２、５３、５４は、中心軸５０ａを中心として、それらの相対位置を維持したまま回動可能となっている。そして、１ページ分の画像形成が終了する毎に択一的に感光体２０に対向し、それぞれの現像装置５１、５２、５３、５４に収容されたトナーにて、感光体２０上に形成された潜像を順次現像する。なお、前述した４つの現像装置５１，５２，５３，５４の各々は、画像形成装置本体、より具体的には、ＹＭＣＫ現像ユニット５０の前記保持部５５ａ、５５ｂ、５５ｃ、５５ｄ、に対して着脱可能となっている。
【００４３】
一次転写ユニット６０は、感光体２０に形成された単色トナー像を中間転写体７０に転写するための装置であり、４色のトナーが順次重ねて転写されると、中間転写体７０にフルカラートナー像が形成される。  
この中間転写体７０は、ＰＥＴフィルムの表面に錫蒸着層を設けさらにその表層に半導電塗料を形成、積層したエンドレスのベルトであり、感光体２０とほぼ同じ周速度にて回転駆動される。
【００４４】
なお、中間転写体７０の近傍には、同期用読取センサＲＳが配置されている。この同期用読取センサＲＳは中間転写体７０の基準位置を検出するためのセンサであり、主走査方向とほぼ直交する副走査方向における同期信号、つまり垂直同期信号Ｖｓｙｎｃを得るための垂直同期用読取センサとして機能する。より具体的には、前記同期用読取センサＲＳは、光を発するための発光部と光を受光するための受光部を有し、中間転写体７０の所定の位置に形成された穴が、前記発光部から発光された光を通過する際に、前記受光部により当該光が受光され、当該同期用読み取りセンサＲＳは、中間転写体７０が１回転するごとにパルス信号を出力する。
【００４５】
二次転写ユニット８０は、中間転写体７０上に形成された単色トナー像やフルカラートナー像を紙、フィルム、布等の媒体に転写するための装置である。  
定着ユニット９０は、媒体上に転写された単色トナー像やフルカラートナー像を媒体に融着させて永久像とするための装置である。
【００４６】
クリーニングユニット７５は、一次転写ユニット６０と帯電ユニット３０との間に設けられ、感光体２０の表面に当接されたゴム製のクリーニングブレード７６を有し、一次転写ユニット６０によって中間転写体７０上にトナー像が転写された後に、感光体２０上に残存するトナーをクリーニングブレード７６により掻き落として除去するための装置である。
【００４７】
なお、プリンタユニット１４のプリンタ底面１４ａの四隅には、他の振動吸収脚の一例であるプリンタ脚９８が取り付けられている。このプリンタ脚９８は、プリンタユニット１４の振動を吸収する機能を有している。このプリンタ脚９８は、樹脂成型品であり、本実施形態においては、このプリンタ脚９８の材料は、ＰＯＭ（ポリアセタール樹脂）である。
【００４８】
＝＝＝画像形成装置のコントローラの構成例＝＝＝
次に、ＭＦＰ装置１０のコントローラ２００の構成例について、図７を用いて説明する。図７は、コントローラ２００の構成を示したブロック図である。  
コントローラ２００は、メインコントローラ２１０と、スキャナコントローラ２３０と、プリンタコントローラ２５０と、を備えている。
【００４９】
メインコントローラ２１０は、スキャナコントローラ２３０とプリンタコントローラ２５０とを司るコントローラであり、ＵＳＢやパラレルインターフェース、又は、ネットワークを介してＭＦＰ装置１０に接続されたコンピュータ、とのインターフェイスとなるインターフェイス部２１６や、画像データの、ＲＧＢからＹＭＣＫへの色成分の変換処理やハーフトーン処理等を実施する画像処理部２１４などを備えている。
【００５０】
スキャナコントローラ２３０は、スキャナユニット１２内の各ユニット（露光ランプ１１６ａ、ＣＣＤセンサ１１６ｄ、パルスモータ１２２ｄ等）と電気的に接続され、これらを制御するための駆動制御回路を備えている。そして、スキャナコントローラ２３０は、メインコントローラ２１０から入力される信号に基づいて、前記各ユニットを制御する。
【００５１】
同様に、プリンタコントローラ２５０は、プリンタユニット１４内の各ユニット（帯電ユニット３０、露光ユニット４０、ＹＭＣＫ現像ユニット５０、一次転写ユニット６０、二次転写ユニット８０、定着ユニット９０等）と電気的に接続され、これらを制御するための駆動制御回路を備えている。そして、プリンタコントローラ２５０は、メインコントローラ２１０から入力される信号に基づいて、前記各ユニットを制御する。
【００５２】
また、メインコントローラ２１０、スキャナコントローラ２３０、及び、プリンタコントローラ２５０は、それぞれ、ＣＰＵとメモリ２１２、２３２、２５２とを備えている。メモリには、プログラムが格納されており、当該プログラムをＣＰＵが処理することにより、各種動作が実現される。また、メモリには、画像データや制御データ等も格納される。
【００５３】
＝＝＝画像形成装置の動作例＝＝＝
次に、ＭＦＰ装置１０の動作例について、説明する。前述したとおり、本実施の形態に係るＭＦＰ装置１０は、スキャナ機能、プリンタ機能（第一プリンタ機能及び第二プリンタ機能）、コピー機能、を備えている。以下では、ＭＦＰ装置１０の動作について、当該機能ごとに説明する。なお、以下に説明されるＭＦＰ装置１０の各種動作は、主として、ＭＦＰ装置１０内のコントローラ２００により実現される。特に、本実施の形態においては、メモリに格納されたプログラムをＣＰＵが処理することにより実現される。そして、このプログラムは、以下に説明される各種の動作を行うためのコードから構成されている。
【００５４】
＜＜＜スキャナ機能実行時の動作＞＞＞
先ず、ＭＦＰ装置１０においてスキャナ機能が実行されるときの、ＭＦＰ装置１０の動作について説明する。
【００５５】
作業者が、操作パネル１３０にてスキャナ機能の実行を指示する（本実施の形態においては、スキャンボタンの押下）と、操作パネル１３０は、スキャナ機能の実行を示す信号をメインコントローラ２１０に送出する。そして、当該信号を受け取ったメインコントローラ２１０は、原稿の読み取りを開始する旨の指示を、スキャナコントローラ２３０に与える。当該指示を受け取ったスキャナコントローラ２３０は、スキャナユニット１２内の露光ランプ１１６ａ、ＣＣＤセンサ１１６ｄ、パルスモータ１２２ｄ等を、これらに対応した制御回路により制御して、以下に示す原稿読み取り動作をスキャナユニット１２に実行させる。
【００５６】
原稿読み取り動作開始時に、先ず、露光ランプ１１６ａが、原稿台ガラス１１２の上に載置された原稿Ｐに光を照射する。そして、当該光が原稿Ｐに照射されている状態で、パルスモータ１２２ｄが、読取キャリッジ１１６を、前記順方向へ移動させる。  
読取キャリッジ１１６は、前記順方向に移動しながら、露光ランプ１１６ａから発せられた光の、原稿Ｐによる反射光、をＣＣＤセンサ１１６ｄにより受光する。このとき、ＣＣＤセンサ１１６ｄは、受光した反射光の光量を所定の周期で読み込み、読み込んだ光量を順次電圧値に変換する。  
すなわち、ＣＣＤセンサ１１６ｄは、読み取り位置を順次移動させて、原稿Ｐ（原稿Ｐ上の画像）を、ＲＧＢ色空間により表されるＲＧＢ画像データとして、読み込むこととなる。そして、読み込まれたＲＧＢ画像データは、最終的に、メインコントローラ２１０内のメモリ２１２に格納される。
【００５７】
＜＜＜第一プリンタ機能実行時の動作＞＞＞
次に、ＭＦＰ装置１０において第一プリンタ機能が実行されるときの、ＭＦＰ装置１０の動作について説明する。
【００５８】
作業者が、操作パネル１３０を操作してプリントしたい画像を選択し、操作パネル１３０にて第一プリンタ機能の実行を指示する（本実施の形態においては、プリントボタンの押下）と、操作パネル１３０は、第一プリンタ機能の実行を示す信号をメインコントローラ２１０に送出する。当該信号を受け取ったメインコントローラ２１０は、画像処理部２１４により、前記メモリ２１２に格納されている、作業者が選択した画像に対応するＲＧＢ画像データ、の画像処理（色成分の変換処理、ハーフトーン処理等）を行い、画像形成用の画像データ（かかる画像処理後の画像データを、ＹＭＣＫ画像データとも呼ぶ）に変換する（変換されたＹＭＣＫ画像データも前記メモリ２１２に格納される）。そして、メインコントローラ２１０は、画像の形成を開始する旨の指示を、プリンタコントローラ２５０に与える。当該指示を受け取ったプリンタコントローラ２５０は、プリンタユニット１４内の各ユニットを、これらに対応した制御回路により制御して、以下に示す画像形成動作をプリンタユニット１４に実行させる。
【００５９】
画像形成動作開始時に、先ず、プリンタコントローラ２５０の制御により感光体２０、及び、中間転写体７０が回転する。そして、その後、前記同期用読取センサＲＳにより中間転写体７０の基準位置が検出され、パルス信号が出力される。かかるパルス信号はプリンタコントローラ２５０に送られ、当該パルス信号を基準として、以下に述べる種々の動作が、プリンタコントローラ２５０の制御により実行される。
【００６０】
感光体２０は、回転しながら、帯電位置において帯電ユニット３０により順次帯電される。感光体２０の帯電された領域は、感光体２０の回転に伴って露光位置に至り、露光ユニット４０によって、第１色目（本実施の形態においてはブラックＫ）の画像情報に応じた潜像が、前述したＹＭＣＫ画像データに基づいて該領域に形成される。
【００６１】
ＹＭＣＫ現像ユニット５０は、ブラック現像装置５１を感光体２０に対向する現像位置に位置させる。感光体２０上に形成された潜像は、感光体２０の回転に伴って現像位置に至り、ブラック現像装置５１によってブラックトナーで現像される。これにより、感光体２０上にブラックトナー像が形成される。
【００６２】
感光体２０上に形成されたブラックトナー像は、感光体２０の回転に伴って一次転写位置に至り、一次転写ユニット６０によって、中間転写体７０に転写される。この際、一次転写ユニット６０には、トナーの帯電極性とは逆の極性の一次転写電圧が印加される。なお、この間、感光体２０と中間転写体７０とは接触しており、また、二次転写ユニット８０は、中間転写体７０から離間している。
【００６３】
上記の処理が、第２色目（本実施の形態においてはシアンＣ）、第３色目（本実施の形態においてはマゼンタ）、及び、第４色目（本実施の形態においてはイエローＹ）について、各々の現像装置毎に順次実行されることにより、ＹＭＣＫ画像データに対応した４色のトナー像が、中間転写体７０に重なり合って転写される。これにより、中間転写体７０上にはフルカラートナー像が形成される。
【００６４】
中間転写体７０上に形成されたフルカラートナー像は、中間転写体７０の回転に伴って二次転写位置に至り、二次転写ユニット８０によって媒体に転写される。なお、媒体は、給紙トレイ９２から、給紙ローラ９４、レジローラ９６を介して二次転写ユニット８０へ搬送される。また、転写動作を行う際、二次転写ユニット８０が、移動して中間転写体７０に媒体を介して当接するとともに、当該二次転写ユニット８０には、二次転写電圧が印加される。  
媒体に転写されたフルカラートナー像は、定着ユニット９０によって加熱加圧されて媒体に融着される。
【００６５】
一方、感光体２０は一次転写位置を経過した後に、クリーニングユニット７５に支持されたクリーニングブレード７６によって、その表面に付着しているトナーが掻き落とされ、次の潜像を形成するための帯電に備える。掻き落とされたトナーは、クリーニングユニット７５が備える残存トナー回収部に回収される。
【００６６】
ところで、プリンタユニット１４が画像形成動作を実行する際に、プリンタユニット１４が振動することがある。ここで、プリンタユニット１４の水平方向の振幅が最も大きくなるのは、ＹＭＣＫ現像ユニット５０が回転する際である。なお、このＹＭＣＫ現像ユニット５０が回転する際のプリンタユニット１４の水平方向の最大振幅値は、１．５（ｍｍ）未満である。
【００６７】
＜＜＜第二プリンタ機能実行時の動作＞＞＞
次に、ＭＦＰ装置１０において第二プリンタ機能が実行されるときの、ＭＦＰ装置１０の動作について説明する。
【００６８】
ＵＳＢやパラレルインターフェース、又は、ネットワークを介して、ＭＦＰ装置１０に接続されたコンピュータ、から画像データ（信号）及び制御データ（信号）がインターフェイス部２１６を介してＭＦＰ装置１０のメインコントローラ２１０に入力されると、メインコントローラ２１０は、制御データ（信号）に含まれる第二プリンタ機能の実行を示す信号に基づいて、画像の形成を開始する旨の指示を、プリンタコントローラ２５０に与える。当該指示を受け取ったプリンタコントローラ２５０は、プリンタユニット１４内の各ユニットを、これらに対応した制御回路により制御して、前述した画像形成動作をプリンタユニット１４に実行させる。なお、前記コンピュータから送られてくる画像データは、通常、画像処理済みのＹＭＣＫ画像データであり（画像処理は、コンピュータ内のプリンタドライバにより実施される）、かかる際には、第一プリンタ機能実行の場合とは異なり、画像処理部２１４による画像処理は実行されない。
【００６９】
＜＜＜コピー機能実行時の動作＞＞＞
次に、ＭＦＰ装置１０においてコピー機能が実行されるときの、ＭＦＰ装置１０の動作について説明する。
【００７０】
作業者が、操作パネル１３０にてコピー機能の実行を指示する（本実施の形態においては、コピーボタンの押下）と、操作パネル１３０は、コピー機能の実行を示す信号をメインコントローラ２１０に送出する。そして、当該信号を受け取ったメインコントローラ２１０は、原稿の読み取りを開始する旨の指示を、スキャナコントローラ２３０に与える。当該指示を受け取ったスキャナコントローラ２３０は、スキャナユニット１２内の露光ランプ１１６ａ、ＣＣＤセンサ１１６ｄ、パルスモータ１２２ｄ等を、これらに対応した制御回路により制御して、前述した原稿読み取り動作をスキャナユニット１２に実行させる。
【００７１】
そして、メインコントローラ２１０は、スキャナユニット１２により読み込まれ、メインコントローラ２１０内のメモリ２１２に格納されたＲＧＢ画像データ、の画像処理（色変換処理、ハーフトーン処理等）を画像処理部２１４により行い、ＹＭＣＫ画像データに変換する。そして、メインコントローラ２１０は、画像の形成を開始する旨の指示を、プリンタコントローラ２５０に与える。当該指示を受け取ったプリンタコントローラ２５０は、プリンタユニット１４内の各ユニットを、これらに対応した制御回路により制御して、前述した画像形成動作をプリンタユニット１４に実行させる。
【００７２】
＝＝＝スキャナ脚１８０の概要＝＝＝
図８〜図１２を用いて、スキャナユニット１２に取り付けられたスキャナ脚１８０の概要について説明する。図８は、スキャナユニット１２が設置机３００に設置される前の、スキャナ脚１８０周辺部を示した図である。図９は、スキャナユニット１２が設置机３００に設置された際の、スキャナ脚１８０周辺部を示した図である。図１０は、硬弾性体１８２が対向壁１５２に接触している状態を示した図である。図１１は、対向壁１５２に接触した硬弾性体１８２の側面が、変形している状態を示した図である。図１２は、スキャナ脚１８０を示した斜視図である。
【００７３】
＜＜＜スキャナ脚１８０の構成について＞＞＞
まず、スキャナ脚１８０の構成について説明する。スキャナ脚１８０は、スキャナユニット１２に作用する振動を吸収するためのものである。例えば、スキャナ脚１８０は、画像形成部（例えば、ＹＭＣＫ現像ユニット５０）の動作に起因したプリンタユニット１４の振動のうちスキャナユニット１２に伝わる振動を吸収する。また、スキャナ脚１８０は、読取キャリッジ１１６の移動等に起因したスキャナユニット１２の振動を吸収する機能も有している。
【００７４】
スキャナ脚１８０は、図５に示すように、スキャナユニット１２のスキャナ底面１２ａの四隅にそれぞれ取り付けられている。具体的には、スキャナ脚１８０は、該四隅に形成された窪み１５０に両面テープを介して取り付けられている。
【００７５】
スキャナ脚１８０は、プリンタユニット１４に取り付けられたプリンタ脚９８とは異なるものである。このスキャナ脚１８０は、第一弾性体の一例としての硬弾性体１８２と、スキャナユニット１２と硬弾性体の間に位置し、該硬弾性体よりも柔らかい第二弾性体の一例としての柔弾性体１８１と、を備えている。なお、柔弾性体１８１及び硬弾性体１８２は、プリンタ脚９８よりも柔らかい。
【００７６】
また、柔弾性体１８１と硬弾性体１８２は、柔弾性体１８１が上方に位置し、硬弾性体１８２が下方に位置するように、重なっている。そして、図８及び図９に示すように、この二つの弾性体は、スキャナユニット１２が設置机３００に設置される際に、スキャナユニット１２と設置机３００による圧縮力によって鉛直方向に縮む一方で、水平方向に膨張することになる。以下に、柔弾性体１８１及び硬弾性体１８２の構成について説明する。
【００７７】
柔弾性体１８１は、エーテル系ポリウレタンから成る。この柔弾性体１８１の硬度は、アスカーＣ ３０である。ここで、アスカーＣとは、ゴムの硬さの規格の一つである。また、図１２に示すように、柔弾性体１８１の形状は、直方体である。そして、柔弾性体１８１の上面（以下、「柔弾性体上面」とも呼ぶ）１８１ａは、両面テープを介して窪み１５０の取り付け面１５１に取り付けられている。また、柔弾性体１８１の４つの側面（以下、「柔弾性体側面」とも呼ぶ）１８１ｂは、窪み１５０に形成された対向壁１５２に隙間を介して対向している。
【００７８】
硬弾性体１８２は、設置机３００に接触可能である。すなわち、硬弾性体１８２は、図９に示すように、スキャナユニット１２が設置机３００に設置されることによって、設置机３００に接触することとなる。この硬弾性体１８２は、高密度ポリウレタンフォームから成る。そして、硬弾性体１８２の硬度は、アスカーＣ ６０である。
【００７９】
また、図１２に示すように、硬弾性体１８２の形状は、直方体である。そして、この硬弾性体１８２の厚みｔ２（本実施形態においては、５ｍｍ）は、柔弾性体１８１の厚みｔ１（本実施形態においては、１０ｍｍ）より小さい。そして、前述したように、柔弾性体１８１は硬弾性体１８２よりも柔らかいので、スキャナユニット１２が設置机３００に設置される際に、柔弾性体１８１の鉛直方向の縮み量は、硬弾性体１８２の鉛直方向の縮み量よりも大きい。
【００８０】
硬弾性体１８２の上面（以下、「硬弾性体上面」とも呼ぶ）１８２ａは、柔弾性体１８１の下面（以下、「柔弾性体下面」とも呼ぶ）１８１ｃと接着している。具体的には、硬弾性体上面１８２ａは、両面テープを介して柔弾性体下面１８１ｃと接着している。また、硬弾性体上面１８２ａの面積は、柔弾性体下面１８１ｃの面積より大きい。そして、柔弾性体下面１８１ｃと硬弾性体上面１８２ａは、それぞれ正方形であり、柔弾性体下面１８１ｃ全体が、硬弾性体上面１８２ａの中央部と重なっている。
【００８１】
硬弾性体１８２の４つの側面（以下、「硬弾性体側面」とも呼ぶ）１８２ｂは、スキャナユニット１２が設置机３００に設置された際に、隙間を介して対向壁１５２に対向している。なお、この隙間の大きさ、すなわち、スキャナユニット１２が設置机３００に設置された際の硬弾性体側面１８２ｂと対向壁１５２との距離Ｌは、本実施形態においては、１．５（ｍｍ）である。そして、この距離Ｌは、ＹＭＣＫ現像ユニット５０が回転する際のプリンタユニット１４の水平方向の最大振幅値（本実施形態においては、１．５ｍｍ未満）より、大きい。
【００８２】
硬弾性体１８２の下面（以下、「硬弾性体下面」とも呼ぶ）１８２ｃは、スキャナユニット１２が設置机３００に設置されると、該設置机３００に接触する。なお、硬弾性体下面１８２ｃが設置机３００の接触する時にも、硬弾性体下面１８２ｃが設置机３００に設置しない時にも、柔弾性体下面１８１ｃが、対向壁１５２（具体的には、対向壁１５２の下端１５２ａ）より、下方に位置しない。
【００８３】
＜＜＜スキャナユニットが設置机上を滑る際のスキャナ脚への影響について＞＞＞
設置机３００に設置されたスキャナユニット１２が、設置机３００上を滑ることがある。例えば、ユーザー等が、該スキャナユニット１２の位置を変えるために、静止していたスキャナユニット１２を移動させる際に、スキャナユニット１２が設置机３００上を滑ることがある。
【００８４】
前述したように、スキャナユニット１２は、硬弾性体１８２が設置机３００に接触した状態で、設置机３００に設置されている。このため、スキャナユニット１２が設置机３００上を滑る際に、スキャナ脚１８０のスキャナユニット１２に対する相対移動やスキャナ脚１８０の変形が生じる。そこで、これらの相対移動や変形について、以下において説明する。
【００８５】
ここで、スキャナユニット１２が設置机３００上を滑るために、スキャナユニット１２に図９に示す方向Ｄ１の外力が作用されることとする。この外力は、例えば、ユーザー等がスキャナユニット１２を押す際に発生する力である。硬弾性体１８２は設置机３００に接触しているので、スキャナユニット１２に該外力が作用されると、該硬弾性体１８２には方向Ｄ１とは反対方向Ｄ２への静止摩擦力が作用する。このため、図１０に示すように、該外力によってスキャナユニット１２が方向Ｄ１に移動する一方で、硬弾性体１８２は該静止摩擦力のために移動しない。この結果、スキャナユニット１２に該外力が作用されると、硬弾性体１８２は、スキャナユニット１２に対して方向Ｄ２に相対移動することとなる。
【００８６】
また、前述したように、柔弾性体上面１８１ａは、取り付け面１５０ａと接着し、柔弾性体下面１８１ｃは、硬弾性体上面１８２ａと接着している。このため、硬弾性体１８２の相対移動に伴って、柔弾性体１８１が変形することになる。
【００８７】
そして、図１０に示すように、硬弾性体１８２の方向Ｄ２への相対移動（変位）については、硬弾性体側面１８２ｂが対向壁１５２に接触することによって、硬弾性体１８２のスキャナユニット１２に対する相対移動が規制される。また、対向壁１５２によって硬弾性体１８２の相対移動が規制されることによって、柔弾性体１８１の変形も抑制される。このため、対向壁１５２は、柔弾性体１８１の変形を抑制する変形抑制部としての役割を有している。なお、図１０に示すように、硬弾性体側面１８２ｂの上部のみが対向壁１５２に接触する。そして、この上部が対向壁１５２に接触する際に該対向壁１５２から力が作用されることによって、図１１に示すように上部が水平方向に縮む。
【００８８】
また、図１１に示すように硬弾性体側面１８２ｂが対向壁１５２に接触した状態にて、スキャナユニット１２に作用する外力が大きくなると、スキャナユニット１２が設置机３００上を滑り始める。スキャナユニット１２が滑る際には、硬弾性体側面１８２ｂは対向壁１５２に接触した状態を維持するので、硬弾性体１８２のスキャナユニット１２に対する相対位置は、一定のままである。そして、硬弾性体１８２の相対位置が一定であるから、柔弾性体１８１も図１１に示す形状を維持することになる。
【００８９】
なお、設置机３００に設置されたスキャナユニット１２が、該スキャナユニット１２に外力が作用されることによって、硬弾性体側面１８２ｂが対向壁１５２に接触した状態にて設置机３００上を滑る際に、硬弾性体１８２に亀裂が生じるに前に、スキャナユニット１２が設置机３００上を滑り始める。
【００９０】
＝＝＝本実施形態に係るＭＦＰ装置１０の有効性について＝＝＝
本実施形態に係る画像形成装置（ＭＦＰ装置１０）は、（ａ）画像を形成するための画像形成部（感光体２０、帯電ユニット３０、露光ユニット４０、ＹＭＣＫ現像ユニット５０、一次転写ユニット６０、中間転写体７０、二次転写ユニット８０、及び、定着ユニット９０にて構成されている）を備えた第一筐体（プリンタユニット１４）と、（ｂ）画像形成部の動作と連動して原稿を読み取り可能な原稿読み取り部（読取キャリッジ１１６）を備えた第二筐体（スキャナユニット１２）と、（ｃ）スキャナユニット１２に取り付けられており、振動を吸収するための振動吸収脚（スキャナ脚１８０）であって、該スキャナ脚１８０が取り付けられているスキャナユニット１２が設置される設置台（設置机３００）に接触可能な第一弾性体（硬弾性体１８２）と、該スキャナ脚１８０が取り付けられているスキャナユニット１２と硬弾性体１８２との間に位置し、硬弾性体１８２よりも柔らかい第二弾性体（柔弾性体１８１）と、を備えたスキャナ脚１８０と、（ｄ）該スキャナ脚１８０が取り付けられているスキャナユニット１２に設けられ、該スキャナユニット１２に対する硬弾性体１８２の相対移動を規制することによって、柔弾性体１８１の変形を抑制するための変形抑制部（対向壁１５２）と、（ｅ）を有している。これにより、振動吸収脚にてスキャナユニット１２の振動を適切に抑制し、かつ、該振動吸収脚に起因した設置机３００の汚れを防止できるＭＦＰ装置１０を実現することが可能となる。以下において、詳細に説明する。
【００９１】
読取キャリッジ１１６が原稿を読み取る際にスキャナユニット１２に作用する振動に起因して該スキャナユニット１２が揺れると、読み取られた画像に歪み等が発生する恐れがある。そこで、スキャナユニット１２に作用する振動を吸収するために弾性体からなる振動吸収脚を用いられる。しかし、弾性体が硬すぎる場合には、該弾性体が振動を十分に吸収しきれず、スキャナユニット１２が振動する恐れがある。一方、弾性体が柔らかすぎる場合には、該弾性体が振動を吸収できるが、設置机３００等に該弾性体の跡が残り、設置机３００が汚れる恐れがある。
【００９２】
一方、本実施形態に係るＭＦＰ装置１０においては、図９に示すように、設置机３００に接触可能な硬弾性体１８２と、スキャナユニット１２と硬弾性体１８２との間に位置し、硬弾性体１８２よりも柔らかい柔弾性体１８１と、を備えたスキャナ脚１８０、及び、スキャナユニット１２に対する硬弾性体１８２の相対移動を規制することによって、柔弾性体１８１の変形を抑制するための対向壁１５２、が設けられている。
【００９３】
スキャナ脚１８０が柔弾性体１８１を備えている場合には、該柔弾性体１８１がスキャナユニット１２に作用する振動を十分に吸収できるから、スキャナ脚１８０にてスキャナユニット１２に作用する振動を適切に抑制することが可能となる。  
また、柔弾性体１８１が、設置机３００に接触する硬弾性体１８２とスキャナユニット１２との間に位置する場合には、該柔弾性体１８１が設置机３００に接触することを抑制できる。さらに、対向壁１５２が硬弾性体１８２の相対移動を規制することによって柔弾性体１８１の変形が抑制される場合には、柔弾性体１８１の変形が過大になって該柔弾性体１８１が設置机３００に接触することも防止できる。よって、本実施形態に係るＭＦＰ装置１０によれば、柔弾性体１８１の設置机３００への接触をより確実に防止できるから、スキャナ脚１８０（柔弾性体１８１）に起因した設置机３００の汚れを防止することが可能となる。
【００９４】
なお、上述の説明では、スキャナユニット１２に振動吸収脚（スキャナ脚１８０）取り付けられ、該スキャナユニット１２に変形抑制部（対向壁１５２）が設けられていることとしたが、これに限定されるものではない。例えば、プリンタユニット１４に、プリンタ脚９８の代わりに前記振動吸収脚が取り付けられ、該プリンタユニット１４に変形抑制部が設けられていることとしてもよい。かかる場合にも、本実施形態の場合と同様に、スキャナユニット１２に作用する振動を抑制することが可能となる。すなわち、プリンタユニット１４に取り付けられた振動吸収脚がプリンタユニット１４の振動を吸収することによって、プリンタユニット１４の振動に起因した設置机３００の揺れを防止できる。そして、設置机３００の揺れが防止されることによって、スキャナユニット１２に作用する振動を抑制することができる。  
ただし、振動吸収脚がスキャナユニット１２に取り付けられている場合には、プリンタユニット１４の振動以外の振動がスキャナユニット１２に作用することも適切に抑制することが可能となる。よって、図９に示す本実施形態の方がより望ましい。
【００９５】
また、振動吸収脚がスキャナユニット１２及びプリンタユニット１４に取り付けられ、スキャナユニット１２及びプリンタユニット１４に変形抑制部が設けられていることとしてもよい。かかる場合にも、上述の効果が有効に奏される。
【００９６】
以上から、スキャナユニット１２とプリンタユニット１４のうちの少なくとも一方の筐体に振動吸収脚を取り付け、該振動吸収脚が取り付けられている筐体に変形抑制部を設けた場合には、上述の効果、すなわち、振動吸収脚にてスキャナユニット１２の振動を適切に抑制し、かつ、該振動吸収脚に起因した設置机３００の汚れを防止できる効果、が適切に奏される。
【００９７】
＝＝＝その他の実施の形態＝＝＝
以上、上記実施の形態に基づき本発明に係る画像形成装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００９８】
また、上記実施の形態においては、プリンタユニット１４として中間転写型のフルカラーレーザビームプリンタを例にとって説明したが、プリンタユニット１４は、中間転写型以外のフルカラーレーザビームプリンタ、モノクロレーザビームプリンタ等であってもよい。
【００９９】
さらに、上記実施の形態において、図１２に示すように、硬弾性体１８２及び柔弾性体１８１の形状は、直方体であることとした。また、硬弾性体１８２の上面（硬弾性体上面１８２ａ）は、柔弾性体１８１の下面（柔弾性体下面１８１ｃ）と接着していることとした。また、図９に示すように、スキャナユニット１２は、スキャナ脚１８０が取り付けられる窪み１５０を備えていることとした。また、前記変形抑制部は、窪み１５０に形成されており、スキャナユニット１２が設置机３００に設置された際に硬弾性体１８２の側面（硬弾性体側面１８２ｂ）に隙間を介して対向する対向壁（対向壁１５２）、であることとした。そして、図１０に示すように、硬弾性体１８２が変位する際に、硬弾性体側面１８２ｂが対向壁１５２に接触して、硬弾性体１８２の前記相対移動が規制されることとした。しかし、上記に限定されるものではない。例えば、変形抑制部は、スキャナユニット１２に取り付けられた凸状の部材であることとしてもよい。  
ただし、変形抑制部が窪み１５０に形成された対向壁１５２である場合には、硬弾性体１８２のスキャナユニット１２に対する相対移動の規制を簡易な構成にて実現することができる。従って、上記実施の形態の方がより望ましい。
【０１００】
さらに、上記実施の形態において、図１２に示すように、硬弾性体上面１８２ａの面積は、柔弾性体下面１８１ｃの面積より大きいこととしたが、これに限定されるものではない。例えば、硬弾性体上面１８２ａの面積は、柔弾性体下面１８１ｃの面積と同じであることとしてもよい。  
ただし、硬弾性体上面１８２ａの面積が柔弾性体下面１８１ｃの面積より大きい場合には、柔弾性体１８１が変形しても該柔弾性体下面１８１ｃが硬弾性体上面１８２ａに接触した状態となるので、該柔弾性体１８１が設置机３００に接触することを有効に防止することができる。従って、上記実施の形態の方がより望ましい。
【０１０１】
さらに、上記実施の形態において、図８及び図９に示すように、硬弾性体１８２が設置机３００に接触する時にも、硬弾性体１８２が設置机３００に接触しない時にも、柔弾性体下面１８１ｃが、対向壁１５２（具体的には、下端１５２ａ）より下方に位置しないこととしたが、これに限定されるものではない。例えば、硬弾性体１８２が設置机３００に接触しない時には、柔弾性体１８１の下面が、対向壁１５２よりも下方に位置することとしてもよい。  
ただし、硬弾性体１８２が設置机３００に接触する時にも、硬弾性体１８２が設置机３００に接触しない時にも、柔弾性体下面１８１ｃが対向壁１５２より下方に位置しない場合には、硬弾性体１８２が設置机３００に接触する（すなわち、スキャナユニット１２が設置机３００に設置される）際に、柔弾性体１８１が硬弾性体１８２と対向壁１５２との間に挟まって、柔弾性体１８１が損傷することを防止することができる。従って、上記実施の形態の方がより望ましい。
【０１０２】
さらに、上記実施の形態において、図６に示すように、画像形成部は、現像剤（トナー）を収容した現像剤収容体（現像装置５１、５２、５３、５４）を保持して回転可能な回転体（ＹＭＣＫ現像ユニット５０）を備えていることとした。すなわち、現像装置５１、５２、５３、５４が、ＹＭＣＫ現像ユニット５０の回転に伴って、移動することとした。しかし、上記に限定されるものではない。例えば、現像装置５１、５２、５３、５４は、プリンタユニット１４に対して所定の位置に保持されていることとしてもよい。  
ただし、現像装置５１、５２、５３、５４を移動するためにＹＭＣＫ現像ユニット５０が回転する際には、プリンタユニット１４に大きな振動が生じる恐れがあるから、振動吸収脚と変形抑制部を設けたことによる効果、すなわち、振動吸収脚にてスキャナユニット１２の振動を適切に抑制できる効果、がより有効に奏される。従って、上記実施の形態の方がより望ましい。
【０１０３】
さらに、上記実施の形態において、ＹＭＣＫ現像ユニット５０が回転する際のプリンタユニット１４の水平方向の最大振幅値は、スキャナユニット１２が設置机３００に設置された際の硬弾性体側面１８２ｂと対向壁１５２との距離Ｌ（図９）より、小さいこととしたが、これに限定されるものではない。例えば、最大振幅値は、前記距離Ｌより大きいこととしてもよい。  
対向壁１５２と硬弾性体１８２が接触している際には、プリンタユニット１４の振動がスキャナユニット１２に伝わり、該スキャナユニット１２が揺れる恐れがある。そこで、距離Ｌを最大振幅値より大きくすることによって、対向壁１５２と硬弾性体１８２の接触を抑制できるから、スキャナユニット１２に作用する振動を効果的に抑制できる。従って、上記実施の形態の方がより望ましい。
【０１０４】
さらに、上記実施の形態において、図１０に示すように、硬弾性体１８２が変位する際に、硬弾性体側面１８２ｂの上部のみが対向壁１５２に接触することとしたが、これに限定されるものではない。例えば、硬弾性体１８２が変位する際に、硬弾性体側面１８２ｂ全体が対向壁１５２に接触することとしてもよい。  
硬弾性体側面１８２ｂの上部のみが対向壁１５２に接触する場合には、硬弾性体側面１８２ｂ全体が対向壁１５２に接触する場合に比べて、硬弾性体側面１８２ｂが変形しやすくなる。このため、硬弾性体側面１８２ｂが対向壁１５２に接触した後に、スキャナユニット１２が振動しても、硬弾性体１８２が該振動を吸収することが可能となる。従って、上記実施の形態の方がより望ましい。
【０１０５】
さらに、上記実施の形態において、図６に示すように、プリンタユニット１４には、スキャナ脚１８０とは異なる他の振動吸収脚（プリンタ脚９８）が取り付けられていることとした。そして、プリンタユニット１４に取り付けられたプリンタ脚９８は、スキャナユニット１２に取り付けられたスキャナ脚１８０の硬弾性体１８２及び柔弾性体１８１よりも硬いこととした。しかし、上記に限定されるものではない。例えば、プリンタユニット１４には、振動吸収脚が取り付けられていないこととしてもよい。  
ただし、プリンタユニット１４にプリンタ脚９８が取り付けられている場合には、該プリンタ脚９８によってプリンタユニット１４の振動を吸収することが可能となる。従って、上記実施の形態の方がより望ましい。
【０１０６】
＝＝＝画像形成システム等の構成＝＝＝
次に、本発明に係る実施の形態の一例である画像形成システムの実施形態について、図面を参照しながら説明する。
【０１０７】
図１３は、画像形成システムの外観構成を示した説明図である。画像形成システム７００は、コンピュータ７０２と、表示装置７０４と、ＭＦＰ装置１０と、入力装置７０８と、メディア読取装置７１０とを備えている。コンピュータ７０２は、本実施形態ではミニタワー型の筐体に収納されているが、これに限られるものではない。表示装置７０４は、ＣＲＴ（Cathode Ray Tube：陰極線管）やプラズマディスプレイや液晶表示装置等が用いられるのが一般的であるが、これに限られるものではない。入力装置７０８は、本実施形態ではキーボード７０８Ａとマウス７０８Ｂが用いられているが、これに限られるものではない。メディア読取装置７１０は、本実施形態ではフレキシブルディスクドライブ装置７１０ＡとＣＤ−ＲＯＭドライブ装置７１０Ｂが用いられているが、これに限られるものではなく、例えばＭＯ（Magneto Optical）ディスクドライブ装置やＤＶＤ（Digital Versatile Disk）等の他のものであっても良い。
【０１０８】
図１４は、図１３に示した画像形成システムの構成を示すブロック図である。コンピュータ７０２が収納された筐体内にＲＡＭ等の内部メモリ８０２と、ハードディスクドライブユニット８０４等の外部メモリがさらに設けられている。
【０１０９】
なお、以上の説明においては、ＭＦＰ装置１０が、コンピュータ７０２、表示装置７０４、入力装置７０８、及び、メディア読取装置７１０と接続されて画像形成システムを構成した例について説明したが、これに限られるものではない。例えば、画像形成システムが、コンピュータ７０２とＭＦＰ装置１０から構成されても良く、画像形成システムが表示装置７０４、入力装置７０８及びメディア読取装置７１０のいずれかを備えていなくても良い。
【０１１０】
また、例えば、ＭＦＰ装置１０が、コンピュータ７０２、表示装置７０４、入力装置７０８、及び、メディア読取装置７１０のそれぞれの機能又は機構の一部を持っていても良い。一例として、ＭＦＰ装置１０が、各種の表示を行う表示部、及び、デジタルカメラ等により撮影された画像データを記録した記録メディアを着脱するためのメディア着脱部等を有する構成としても良い。
【０１１１】
このようにして実現された画像形成システムは、システム全体として従来システムよりも優れたシステムとなる。
【図面の簡単な説明】
【０１１２】
【図１】ＭＦＰ装置１０の外観構成例を示した斜視図である。
【図２】スキャナユニット１２の内部構成例を示した図である。
【図３】スキャナユニット１２の内部構成例を示した図である。
【図４】スキャナユニット１２の内部構成例を示した図である。
【図５】スキャナユニット１２のスキャナ底面１２ａを示した図である。
【図６】プリンタユニット１４の内部構成例を示した図である。
【図７】コントローラ２００の構成を示したブロック図である。
【図８】スキャナユニット１２が設置机３００に設置される前の、スキャナ脚１８０周辺部を示した図である。
【図９】スキャナユニット１２が設置机３００に設置された際の、スキャナ脚１８０周辺部を示した図である。
【図１０】硬弾性体１８２が対向壁１５２に接触している状態を示した図である。
【図１１】対向壁１５２に接触した硬弾性体１８２の側面が、変形している状態を示した図である。
【図１２】スキャナ脚１８０を示した斜視図である。
【図１３】画像形成システムの外観構成を示した説明図である。
【図１４】図１３に示した画像形成システムの構成を示すブロック図である。
【符号の説明】
【０１１３】
１０  ＭＦＰ装置、１２  スキャナユニット、１２ａ  スキャナ底面、
１４  プリンタユニット、１４ａ  プリンタ底面、１６  信号線、２０  感光体、
３０  帯電ユニット、４０  露光ユニット、５０  ＹＭＣＫ現像ユニット、
５０ａ  中心軸、５１  ブラック現像装置、５２  マゼンタ現像装置、
５３  シアン現像装置、５４  イエロー現像装置、５５  支持フレーム、
５５ａ、５５ｂ、５５ｃ、５５ｄ  保持部、６０  一次転写ユニット、
７０  中間転写体、７５  クリーニングユニット、７６  クリーニングブレード、
８０  二次転写ユニット、９０  定着ユニット、９２  給紙トレイ、
９４  給紙ローラ、９６  レジローラ、９８  プリンタ脚、
１１２  原稿台ガラス、１１４  原稿台カバー、１１６  読取キャリッジ、
１１６ａ  露光ランプ、１１６ｂ  レンズ、１１６ｃ  ミラー、
１１６ｄ  ＣＣＤセンサ、１１６ｅ  ガイド受け部、１１６ｆ  スライド部材、
１１８  ガイド部材、１２０  支持レール、１２２  駆動部、
１２２ａ  タイミングベルト、１２２ｂ  駆動プーリ、１２２ｃ  従動プーリ、
１２２ｄ  パルスモータ、１２２ｅ  ホームポジションセンサ、１３０  操作パネル、
１５０  窪み、１５１、取り付け面、１５２  対向壁、１５２ａ  下端、
１８０  スキャナ脚、１８１  柔弾性体、１８１ａ  柔弾性体上面、
１８１ｂ  柔弾性体側面、１８１ｃ  柔弾性体下面、１８２  硬弾性体、
１８２ａ  硬弾性体上面、１８２ｂ  硬弾性体側面、１８２ｃ  硬弾性体下面、
２００  コントローラ、２１０  メインコントローラ、２１２  メモリ、
２１４  画像処理部、２１６  インターフェイス部、２３０  スキャナコントローラ、
２３２  メモリ、２５０  プリンタコントローラ、２５２  メモリ、
３００  設置机、
７００  画像形成システム、７０２  コンピュータ、７０４  表示装置、
７０８  入力装置、７０８Ａ  キーボード、７０８Ｂ  マウス、
７１０  メディア読取装置、７１０Ａ  フレキシブルディスクドライブ装置、
７１０Ｂ  ＣＤ−ＲＯＭドライブ装置、
８０２  内部メモリ、８０４  ハードディスクドライブユニット、
Ｐ  原稿
【図１】
2006349777.tif 000003
【図２】
2006349777.tif 000004
【図３】
2006349777.tif 000005
【図４】
2006349777.tif 000006
【図５】
2006349777.tif 000007
【図６】
2006349777.tif 000008
【図７】
2006349777.tif 000009
【図８】
2006349777.tif 000010
【図９】
2006349777.tif 000011
【図１０】
2006349777.tif 000012
【図１１】
2006349777.tif 000013
【図１２】
2006349777.tif 000014
【図１３】
2006349777.tif 000015
【図１４】
2006349777.tif 000016